(57)【要約】【課題】車両用ドアのドア下がりを防止し、かつ車両の前面衝突時の衝突荷重に対するドア剛性を向上すること。【解決手段】  車両用ドアのアウタパネル１とインナパネル２とからなるドア本体Ｄのドア前面部２１に、ドア内部側から補強部材６を設けて補強し、該補強部材６を介してドア前面部２１にドアヒンジ５を取付けて車体へヒンジ結合する車両用ドアにおいて、補強部材６と、ドア本体ＤのベルトラインＤＢに沿ってドア内部に前後方向に延設されたドアリィンフォースメント３，４の前端３１，４１を連結せしめ、補強部材６で補強されたドア前面部２１とドアリィンフォースメント３，４とで一体にドア全体の重量を支えるようになし、車両前面衝突時には補強部材６とドアリィンフォースメント３，４とで一体に衝突荷重を受けるようになした。【選択図】        図６
2007216831.tif 000002
【特許請求の範囲】
【請求項１】
アウタパネルとインナパネルとからなるドア本体のドア前面部に、ドア本体の内部側から補強部材を設け、該補強部材を介して上記ドア前面部にドアヒンジが取付けられた車両用ドアにおいて、
上記補強部材と、ドア本体のベルトラインに沿ってドア本体の内部に前後方向に延設されたドアリィンフォースメントの前端を連結したことを特徴とする車両用ドア。
【請求項２】
請求項１に記載の車両用ドアにおいて、
上記ドア前面部は上記インナパネルの車室側面部の前縁から屈曲して車外側へ延びる延出部で構成され、かつドア前面部にはその車外側の端縁から屈曲して前方へ延出し、上記アウタパネルの前縁と結合するヒンジサイド部を備え、
上記補強部材は、ドア前面部に沿う本体部と、該本体部の車外側の側縁から屈曲して前方へ延びて上記ヒンジサイド部に沿う前部延出部を備え、
上記補強部材の前部延出部に、上記ドアリィンフォースメントとして上記アウタパネルの内面に沿って前後方向に延設されたドアアウタリィンフォースメントの前端を連結した車両用ドア。
【請求項３】
請求項１に記載の車両用ドアにおいて、
上記ドア前面部は上記インナパネルの車室側面部の前縁から屈曲して車外側へ延びる延出部で構成され、
上記補強部材は、ドア前面部に沿う本体部と、該本体部の車内側の側縁から屈曲して後方へ延びて上記インナパネルの前端に沿う後部延出部を備え、
上記補強部材の後部延出部に、上記ドアリィンフォースメントとして上記インナパネルの内面に沿って前後方向に延設されたドアインナリィンフォースメントの前端を連結した車両用ドア。
【請求項４】
請求項１に記載の車両用ドアにおいて、
上記ドア前面部は上記インナパネルの車室側面部の前縁から屈曲して車外側へ延びる延出部で構成され、かつドア前面部にはその車外側の端縁から屈曲して前方へ延出し、上記アウタパネルの前縁と結合するヒンジサイド部を備え、
上記補強部材は、ドア前面部に沿う本体部と、該本体部の車外側の側縁から屈曲して前方へ延びて上記ヒンジサイド部に沿う前部延出部と、本体部の車内側の側縁から屈曲して後方へ延びて上記インナパネルの前端に沿う後部延出部とを備え、
上記補強部材の前部延出部に、上記アウタパネルの内面に沿って前後方向に延設されたドアアウタリィンフォースメントの前端を連結するとともに、上記後部延出部に、上記インナパネルの内面に沿って前後方向に延設されたドアインナリィンフォースメントの前端を連結した車両用ドア。
【発明の詳細な説明】
【技術分野】
【０００１】
本発明は車両用ドア、特にドア前面部にドアヒンジを取付けてドア前面部を車体へヒンジ結合する車両用ドアの補強構造に関する。
【背景技術】
【０００２】
一般に、車両用ドアはアウタパネルとインナパネルとで中空構造をなすドア本体を備え、ドア本体のドア前面部にドアヒンジが取付られ、該ドアヒンジを介して車体へヒンジ結合される。このため、ドア前面部はドアヒンジ取付部の剛性を強化することが行われている。
【０００３】
従来のドアヒンジ取付部の補強構造として、ドア前面部の背面に沿うように補強部材を重ね合わせて設けたり、ドア前面部の背面から若干離間したドア本体内の奥まった位置に補強部材を設け、ドア前面部に形成した開口部を貫通してドアヒンジを上記補強部材に取付けることが行われている（例えば、特許文献１，２参照。）。
【特許文献１】特開２０００−８５３６１号公報
【特許文献２】特開平１１−１９８６５６号公報
【０００４】
またドア本体上縁のベルトラインでは、アウタパネルの上縁とインナパネルの上縁とが分離され、両者間に昇降式のドア窓ガラスを挿通する開口が形成されているので強度が充分でないことから、アウタパネルの内面上縁およびインナパネルの内面上縁に沿ってそれぞれ前後方向に延びる金属板からなるドアアウタリィンフォースメントとドアインナリィンフォースメントとを設け、車両の前面衝突時等の衝突荷重に対しドアの前後方向の剛性を強化することが行われている。
【発明の開示】
【発明が解決しようとする課題】
【０００５】
ところで、車両用ドアはドア窓ガラスやこれを昇降せしめるレギュレータ装置、上記各リィンフォースメント等が内装され、ドア全体の重量が増し、特に、スポーツタイプの２ドアクーペやコンバーチブル等の乗用車では、ドア全長が長く大型であるために重量が重くなる。重量が重いと車体とのヒンジ結合部の周辺に負担がかかるが、ドア前面部は上記補強部材によりドアヒンジ取付部の剛性が強化されるのでそれ自体の変形は防止され得る。しかしながら、前端が支持されたドアには後端側に荷重が集中し、加えてドア開放状態で乗員が上からドアにもたれかかったりしてそれが繰り返されると、アウタパネルおよびインナパネルが歪んでドア下がり変形が生じ、車体へのドア建付け性が悪くなる。
【０００６】
そこで本発明は、新たに補強部材を追加することなく、ドアの下がり変形を防止して車体へのドアの建付け性を向上し、かつ車両の前面衝突時の衝突荷重に対する剛性の高い車両用ドアを提供することを課題としてなされたものである。
【課題を解決するための手段】
【０００７】
本発明はアウタパネルとインナパネルとからなるドア本体のドア前面部に、ドア本体の内部側から補強部材を設け、該補強部材を介して上記ドア前面部にドアヒンジが取付けられた車両用ドアにおいて、上記補強部材と、ドア本体のベルトラインに沿ってドア本体の内部に前後方向に延設されたドアリィンフォースメントの前端を連結した（請求項１）。ドア前面部の補強部材にドア本体のベルトラインを補強するドアリィンフォースメントの前端を連結したので、補強部材で強化されたドア前面部とドアリィンフォースメントとが一体にドアの重量を支えるのでドアの下がり変形を防ぎ、ドアの建付け性を確保する。また車両の前面衝突時等には、車体とのヒンジ結合部から作用する衝突荷重がドア前面部の補強部材からドアリィンフォースメント側へ伝達され両者が一体となって衝突荷重を受けるから衝突荷重に対するドア剛性を向上できる。
【０００８】
上記ドア前面部は上記インナパネルの車室側面部の前縁から屈曲して車外側へ延びる延出部で構成され、かつドア前面部にはその車外側の端縁から屈曲して前方へ延出し、上記アウタパネルの前縁と結合するヒンジサイド部を備え、上記補強部材は、ドア前面部に沿う本体部と、該本体部の車外側の側縁から屈曲して前方へ延びて上記ヒンジサイド部に沿う前部延出部を備え、上記補強部材の前部延出部に、上記ドアリィンフォースメントとして上記アウタパネルの内面に沿って前後方向に延設されたドアアウタリィンフォースメントの前端を連結した（請求項２）。ドアアウタリィンフォースメントとドア前面部とが一体となってドア全体の重量を支えるとともに、前面衝突時等にはドア前面部の補強部材とドアアウタリィンフォースメントとが一体となって衝突荷重を受ける。
【０００９】
上記ドア前面部は上記インナパネルの車室側面部の前縁から屈曲して車外側へ延びる延出部で構成され、上記補強部材は、ドア前面部に沿う本体部と、該本体部の車内側の側縁から屈曲して後方へ延びて上記インナパネルの前端に沿う後部延出部を備え、上記補強部材の後部延出部に、上記ドアリィンフォースメントとして上記インナパネルの内面に沿って前後方向に延設されたドアインナリィンフォースメントの前端を連結した（請求項３）。ドアインナリィンフォースメントとドア前面部とが一体となってドア全体の重量を支えるとともに、前面衝突時等にはドア前面部の補強部材とドアアウタリィンフォースメントとが一体となって衝突荷重を受ける。
【００１０】
上記ドア前面部は上記インナパネルの車室側面部の前縁から屈曲して車外側へ延びる延出部で構成され、かつドア前面部にはその車外側の端縁から屈曲して前方へ延出し、上記アウタパネルの前縁と結合するヒンジサイド部を備え、上記補強部材は、ドア前面部に沿う本体部と、該本体部の車外側の側縁から屈曲して前方へ延びて上記ヒンジサイド部に沿う前部延出部と、本体部の車内側の側縁から屈曲して後方へ延びて上記インナパネルの前端に沿う後部延出部とを備え、上記補強部材の前部延出部に、上記アウタパネルの内面に沿って前後方向に延設されたドアアウタリィンフォースメントの前端を連結するとともに、上記後部延出部に、上記インナパネルの内面に沿って前後方向に延設されたドアインナリィンフォースメントの前端を連結した（請求項４）。両ドアリィンフォースメントとドア前面部とが一体となってドア全体の重量を支えるので確実にドアの下がり変形を防ぎ、前面衝突時等にはヒンジ結合部から作用する衝突荷重をドア前面部の補強部材と左右の両リィンフォースメントとが一体となって衝突荷重を効率よく受ける。
【発明の効果】
【００１１】
本発明によれば、車体にヒンジ結合されるドア前面部を補強する補強部材と、ドアのパネル面に前後方向の剛性を与えて車両の前面衝突時等のドアの変形を防止するドアリィンフォースメントとを結合させたことで、新たに補強部材を追加することなく、補強部材で補強されたドア前端縁とドアリィンフォースメントとで一体にドア全体の重量を支え、ドアの下がり変形を防止する効果を発揮させ、かつドア前面部の補強部材とドアリィンフォースメントとで一体に衝突荷重を受けて衝突荷重に対するドア剛性を一層向上させることができる。
【発明を実施するための最良の形態】
【００１２】
図に基づいて本発明の第１の実施形態を説明する。図１ないし図３に示すように、本実施形態の車両用ドアは、２ドアスポ−ツタイプのコンバ−チブル型車に用いられる前後長が比較的長い大型のもので、ドア上部のドア窓を囲むドアフレームは設定されていない。該車両用ドアのアウタパネル１およびインナパネル２とからなるドア本体Ｄは、両パネル１，２の前縁同士、下縁同士および後縁同士をヘミング加工して結合した中空構造をなす。尚、インナパネル２は、前後に別部材からなる二つのパネル部材をつなぎ合わせて形成してあり、前部パネル部材２ａは若干厚板で形成してある。
【００１３】
ドアベルトラインＤＢには、これを形成するアウタパネル１の上縁１０とインナパネル２の上縁２０とが互いに所定の間隔をおいて離間しており、両者１０，２０間にはドア本体Ｄ内に設置された昇降自在のドア窓ガラスＧを挿通せしめる前後方向に延びる開口が形成してある。
【００１４】
ドア本体Ｄの内部には、ドアベルトラインＤＢに沿うアウタパネル１の上縁１０およびインナパネル２の上縁２０にそれぞれ、ドアベルトラインＤＢを補強するドアアウタリィンフォースメント３とドアインナリィンフォースメント４とが設けてある。
【００１５】
ドアアウタリィンフォースメント３は前後方向に延在する金属板からなり、上方かつ車内側へ緩やかに湾曲するアウタパネル１の上縁部の内側にこれと対向するように配置し、上縁をアウタパネル１の上縁１０と溶接結合するとともに、下縁をアウタパネル１の中間部内面にマスチックシーラや構造接着材等で結合してアウタパネル１の上縁部とで閉断面を構成している。
【００１６】
ドアインナリィンフォースメント４も同様に、インナパネル２の上縁部の内側にこれと対向するように配置し、上縁をインナパネル２の上縁２０に溶接結合するとともに、下縁をインナパネル２の中間部内面に溶接結合してインナパネル２の上縁部とで閉断面を構成している。
【００１７】
またドア本体Ｄの内部には、上下中間位置と下縁寄りの位置にそれぞれ、前後方向に延びるパイプ状のインパクトビーム８ａ，８ｂが設けてある。各インパクトビーム８ａ，８ｂはそれぞれ、パイプ部材の前端および後端の取付ブラケット８１をインナパネル２の内面側に結合して取付けてある。
【００１８】
図１、図２および図４に示すように、ドア本体Ｄのドア前面部２１には、上端位置および下端位置にそれぞれ、ドアヒンジ５，５ａを取付け、これらを車体のドア開口前縁にヒンジ結合する。
【００１９】
ドア前面部２１は、インナパネル２を構成する前部パネル部材２ａの車室側の側面部の前縁から屈曲して車外側へ延びる延出部で形成してある。ドア前面部２１にはその車外側の側縁から屈曲して前方へ延びるヒンジサイド部２２が形成してあり、ヒンジサイド部２２は車外側かつ前方へ断面ほぼＬ字形に形成した前縁とアウタパネル１の前縁とをヘミング加工して結合してある。
【００２０】
ドアヒンジ５を取付けるドア前面部２１の上端位置ではドア本体内部側に金属厚板からなる補強部材６が設けてある。補強部材６はドア前面部２１の内面に沿う本体部６０と、その車外側の側縁から前方へ屈曲してヒンジサイド部２２の内面に沿う前部延出部６１、および本体部６０の車内側の側縁から後方へ屈曲して前部パネル部材２ａの内面に沿う後部延出部６２とを備えている。補強部材６は、本体部６０、前部延出部６１および後部延出部６２をそれぞれ、ドア前面部２１、ヒンジサイド部２２および前部パネル部材２ａの内面に重ね合わせて溶接結合してある。
【００２１】
更にドア前面部２１の上端位置では、ドアアウタリィンフォースメント３の前端３１を補強部材６の前部延出部６１とアウタパネル１の前端との間の位置へ延出せしめ、リィンフォースメント３の前端３１を前部延出部６１とに重ね合わせて、インナパネル２側のヒンジサイド部２２と補強部材６の前部延出部６１との結合部と一体に溶接結合してある。
【００２２】
補強部材６にはドア内部側にウェルドナットＮを備えた厚肉のリテーナ６５が重ね合わせて溶接結合してあり、ドア前面部２１および補強部材６を貫通してウェルドナットＮに連通するネジ穴が形成してある。ドアヒンジ５はドア前面部２１に重ね合わせる取付部と、該取付部の端縁から屈曲して前方へ延びて前端にヒンジ軸（図略）を挿通支持する軸穴を有するアーム部とで断面ほぼＬ字形をなし、前方より上記取付部を貫通するボルト部材Ｂをドア前面部２１の上記ネジ穴に締結して取付けてある。
【００２３】
下方のドアヒンジ５ａは、ドア前面部２１の下端位置にドア内部から補強部材６ａを設け、ボルト部材Ｂで締結してある。
【００２４】
本実施形態によれば、車体へヒンジ結合するドア前面部２１の上端位置および下端位置にそれぞれ補強部材６，６ａを設け、これらでドアヒンジ５，５ａの取付部を補強したので、ドア前面部２１の剛性を確保できる。特に、上端位置では補強部材６に本体部６０から前方へ屈曲する前部延出部６１を形成し、本体部６０と前部延出部６１とで断面ほぼＬ字形をなすドア前面部２１およびヒンジサイド部２２を一連に補強したのでドア前面部２１の変形を防ぐことができる。
【００２５】
更にドアベルトラインＤＢに沿うドアアウタリィンフォースメント３の前端３１を補強部材６の前部延出部６１に重ね合わせて溶接してドアアウタリィンフォースメント３と補強部材６とを連結したので、補強部材６で強化されたドア前面部２１とドアアウタリィンフォースメント３とが一体にドア全体の重量を支え、従来のようにアウタパネル１やインナパネル２が歪んでドアの下がり変形することを防止する。従ってドアの建付け性を良好に保持できる。
【００２６】
また車両の前面衝突時等に、車体のドア開口前縁からドアヒンジ５を介してドア前面部２１に衝突荷重が作用するが、この場合、ドア前面部２１の補強部材６からこれと連結したドアアウタリィンフォースメント３へ衝突荷重が伝達され、両者６，３が一体となって衝突荷重を受けるから衝突荷重に対するドア本体Ｄの剛性を強化できる。
【００２７】
次に本発明の第２の実施形態を説明する。本実施形態の基本構造は上述の第１の実施形態とほぼ同一で、以下、図５に基づいて相違点を中心に説明し、図において同一符号は同一部材を表す。ドア前面部２１の上端位置では、ドアヒンジ５の取付部を補強する補強部材６は、本体部６０および前部延出部６１がドア前面部２１およびヒンジサイド部２２に重ね合わせて溶接結合してある。一方、補強部材６の後部延出部６２ａは、前部パネル部材２ａの内面から離間した位置で後方へ延出してある。そして、後部延出部６２ａには、ドアベルトラインＤＢに沿って前後方向に延びるドアインナリィンフォースメント４の前端４１を重ね合わせて溶接結合してある。
【００２８】
本実施形態によれば、ドア前面部２１の補強部材６とドアインナリィンフォースメント４とを連結したので、上述の第１の実施形態と同様、補強部材６で強化されたドア前面部２１とドアインナリィンフォースメント４とが一体にドア全体の重量を支えてドアの下がり変形を防止するとともに、車両の前面衝突時には補強部材６とドアインナリィンフォースメント４とが一体に衝突荷重を受けるので、衝突荷重に対するドア本体Ｄの剛性を強化できる。
【００２９】
更に、図６に基づいて本発明の第３の実施形態を説明する。本実施形態では、ドア前面部２１を補強する補強部材６の前部延出部６１とドアアウタリィンフォースメント３の前端３１とを結合するとともに、補強部材６の後部延出部６２とドアインナリィンフォースメント４の前端４１とを結合してある。
【００３０】
本実施形態によれば、補強部材６とドアアウタリィンフォースメント３およびドアインナリィンフォースメント４とを連結したから、補強部材６で強化されたドア前面部２１と両ドアリィンフォースメント３，４とが一体にドア全体の重量を支え、高い支持力が発揮されるのでドアの下がり変形を確実に防止する。また車両の前面衝突時には、補強部材６と両ドアリィンフォースメント３，４が一体に衝撃荷重を受けるので衝突荷重に対するドア剛性をより強化することができる。尚、本発明はドアフレームの設定のないドア限らず、セダン等の乗用車に用いるドアフレームを備えたドアに適用してもよい。
【図面の簡単な説明】
【００３１】
【図１】本発明を適用する車両用ドアの斜視図である。
【図２】上記車両用ドアの分解斜視図である。
【図３】図１のIII −III 線に沿う断面図である。
【図４】図１のＡ−Ａ線に沿う位置で、本発明の第１の実施形態を示す要部水平断面図である。
【図５】図４に対応する本発明の第２の実施形を示す要部水平断面図である。
【図６】図４に対応する本発明の第３の実施形を示す要部水平断面図である。
【符号の説明】
【００３２】
Ｄ  ドア本体
ＤＢ  ドアベルトライン
１  アウタパネル
２  インナパネル
２１  ドア前面部
２２  ヒンジサイド部
３  ドアアウタリィンフォースメント
３１  前端
４  ドアインナリィンフォースメント
４１  前端
５  ドアヒンジ
６  補強部材
６０  本体部
６１  前部延出部
６２  後部延出部
【図１】
2007216831.tif 000003
【図２】
2007216831.tif 000004
【図３】
2007216831.tif 000005
【図４】
2007216831.tif 000006
【図５】
2007216831.tif 000007
【図６】
2007216831.tif 000008